(57)【特許請求の範囲】
【請求項１】
自動釣銭機が接続されたＰＯＳ装置において，
預かり金の金額がキー入力される通常モードと，預かり金を自動釣銭機で計数させて計数結果が入力される計数モードが条件と共に設定されたモード切替テーブルと，
前記モード切替テーブルに基づいて設定される現在のモードを記憶する計数モードフラグと，
売上処理毎に前記計数モードフラグを判別して自動釣銭機に対して判別された計数モードを指示する計数モード切替指示部とを備え，
前記モード切替テーブルとして，取引種別に対応して計数モードが設定された取引別モード切替テーブルを設け，取引種別を取得すると，前記取引別モード切替テーブルを参照して前記取得した取引種別に対して設定された計数モードを，前記計数モードフラグに記憶させる計数モードフラグ設定部を備えることを特徴とするＰＯＳ装置。
【発明の詳細な説明】
【技術分野】
【０００１】
本発明は，スーパーマーケット等の店舗で使用する自動釣銭機が接続されたＰＯＳ装置に関する。
【背景技術】
【０００２】
スーパーマーケットやコンビニエンスストア等のレジで使用されるＰＯＳ装置を使用した一般的な支払い方法は，顧客が購入した商品のバーコードを読み取ることにより各品物の金額が入力され，全ての購入商品について入力が終了して合計を指定すると，購入金額が確定して表示部に表示する。これを見た顧客が支払いのために現金（紙幣と硬貨またその一方）をＰＯＳ装置の現金皿に置くと，レジの係員がこれを計数して，現金（紙幣及び硬貨）の収納部に収納し，その金額をキー入力して，お釣りの計算を指示すると釣銭の金額が表示され，レジの係員がその金額を見て現金収納部から釣銭を取り出して顧客に渡す。
【０００３】
上記の人手による釣銭の支払い方法を改善して自動化したＰＯＳシステムが提案されている（特許文献１参照）。提案されたＰＯＳシステムによる釣銭の支払い方法を図１２，図１３を用いて説明する。なお，そのＰＯＳシステムは，図示省略されているが，キーボード，表示部，バーコードリーダ，プリンタを備えるＰＯＳ端末と，紙幣，硬貨の入金部，紙幣と硬貨の出金部，表示部を備えた自動入出金装置や，システムコントローラ及びホスト装置等を備える。
【０００４】
図１２は預かり金の計数を係員が行う場合のフローチャートを示し，図１３は預かり金の計数を機械により行う場合のフローチャートを示す。
【０００５】
図１２の場合，顧客が商品をレジに持ってくると，レジスタの係員が全ての商品のバーコードを読み取って登録処理を行うと（図１２のａ１），ＰＯＳ端末は支払い金額を表示し，紙幣と硬貨の自動入出金（入金と釣銭の出力）機能を持つ自動入出金装置（一般に自動釣銭機とも呼ばれる）に支払い金額を送信し（同ａ２），レジスタの係員が顧客より代金として預かり金を受け取ると，その金額を入金予定金額としてキーボード入力して入金処理をする（同ａ３）。この入力があると，ＰＯＳ端末は入金予定金額と支払い金額との差額（釣銭）を算出し（図１２のａ４），差額があると自動入出金装置に対して差額を釣銭として放出するよう指示する（同ａ５）。この指示を受けると自動入出金装置は入金処理を行う前に釣銭（紙幣及び硬貨の両方または片方）の放出を行い（同ａ６），ＰＯＳ端末でレシートを発行し（同ａ７），その後顧客から預かり金の紙幣と硬貨を自動入出金装置へ入力する（同ａ８）。入力された紙幣と硬貨は自動入出金装置で種別に分けて認識し金種毎に格納し（図１２のａ９），ＰＯＳ端末に結果を通知し（同ａ１０），システムコントローラに結果を通知し（同ａ１１），ファイルサーバ（図示省略）に通知し（同ａ１２），差金事故（入金金額が「支払金額＋釣銭の金額」と一致しない事態）が発生したか判別し（同ａ１３），差金事故が発生するとエラー表示を行う等の処理（同ａ１４，ａ１５））等の処理を行う。この図１２のフローチャートによれば入金額の入力をレジスタの係員が行い釣銭の支払いは自動入出金装置で行って，現金の収納はその後に行う。
【０００６】
次に図１３は，顧客が自動入出金装置へ入金（支払い紙幣または硬貨を入力する）を行う場合であり，最初は顧客が購入した商品のバーコードをレジスタの係員の操作で読み取って登録処理を行い（図１３のｂ１），支払い金額の表示と自動入出金装置への支払い金額の送信を行う（同ｂ２）。この表示に従って，顧客が自動入出金装置へ入金すると（図１３のｂ３），自動入出金装置内で金種毎に入金額を算出してボックスに収納する（同ｂ４）。ここで入金金額が支払金額未満か判定し（同ｂ５），未満の場合は入金不足を通知して顧客に入金の追加を要求する等の処理を行い（同ｂ６），未満でないと釣銭の放出を行う（同ｂ７）。次にＰＯＳ端末に結果を通知し（図１３のｂ８），レシートを発行する（同ｂ９）。その後は，ｂ１０〜ｂ１４において上記図１２のａ１１〜ａ１５と同様の処理が行われる。
【特許文献１】特開平６−２９５３８９号公報
【発明の開示】
【発明が解決しようとする課題】
【０００７】
上記の従来の自動入出金装置（自動釣銭機）を備えたＰＯＳシステムでは，(1) レジスタの係員が顧客から代金として受け取った入金予定の金額（現金）を計数してキー入力し，登録した商品の金額との差額を算出して釣銭の支払いを行って入金処理を行うか，(2) 顧客が自動入出金装置に現金を入金して自動的に計数して釣銭の支払いを行うかの２つのフローによる入金と釣銭の支払いを行う方法が開示されている。
【０００８】
上記(2) の方法は，レジスタ（キャッシャー）の係員が顧客が提出した現金を数えたり，釣銭額を釣銭を数えることに伴うストレスを軽減することと，オペレータが現金を直接手にしないことによる不正防止を実現することができ，顧客が少なくなる夜間や，現金の扱いに慣れていないアルバイト店員が多い店舗等では有効である。しかし，一般にＰＯＳシステムでやりとりする金額の場合は，機械が金額を確認するよりも，現金の扱いに慣れた人間が金額を確認する方が早いため，顧客がレジスタに沢山並ぶような込み合っている時間帯は上記(1) のような人手（オペレータ）により計数する方が効率的であり，オペレータに好まれる傾向がある。
【０００９】
ところが，上記従来のＰＯＳシステムでは，機械により入金した現金を計数する方法か，人手により計数する方法かは，ＰＯＳシステムの制御フロー（プログラム）を切り替える必要があり，その切り替えには手間がかかるため，条件に応じて切り替えることは困難であり，現実には何れか一方のフローにより入金の処理を行っていた。
【００１０】
本発明は上記したようなセキュリティや効率の面の問題を防ぐため，条件に応じて最適なモードへの切り替えを自動的に行うことができるＰＯＳ装置を提供することを目的とす
【課題を解決するための手段】
【００１１】
図１は本発明の原理構成を示す図である。図中，１はＰＯＳ装置，２は入金及び出金を自動的に行う自動釣銭機であり，この「釣銭機」には釣銭として硬貨を出力する機能と紙幣を釣銭として出力する機能とを備えており，自動釣銭釣札機とも呼ばれる。
【００１２】
ＰＯＳ装置１において，１ａは顧客が購入した商品のバーコードを読み取って購入金額を順次登録する商品登録部，１ｂは小計指示検出部，１ｃは現時点でＰＯＳ装置において現金の計数を自動釣銭機により計数するモード（計数モードという）により処理するか，係員が現金を計数してキー入力するモード（通常モードという）により処理するかを判定して指示を行う計数モード切替指示部，１ｄは計数モード切替指示部１ｃで参照する計数モードフラグであり，計数モードフラグ１ｄがオンの場合は計数モード，オフの場合は通常モードを表す。１ｅは顧客からの預かり金を自動釣銭機２により計数を行い，釣銭を求めると自動釣銭機２に対して釣銭の出力を行う制御を含む計数モード処理を行う計数モード処理部，１ｆは係員が預かり金を計数して入力を行い，釣銭は自動釣銭機で出力させる制御を含む通常モードの処理を行う通常モード処理部，１ｇは計数モードフラグ設定部，１ｈは計数モード更新において参照するモード切替テーブルであり，時間帯別，係員別，処理内容別等の何れか又は組み合わせに対応してそれぞれに設けられた切替テーブルに計数モードか通常モードまたは，両方のモード（一方を優先するものとして設定）を予め設定しておく。
【００１３】
なお，ＰＯＳ装置１にはバーコードリーダ，表示部，キーボード，自動釣銭機２との通信手段等も備えられているが図示省略されている。自動釣銭機２において，２ａは顧客からの預かり金を取り込んで収納し，種別を識別して，計数手段（２ｃ）による計数（金額の計算）を実行させて金額を求める入金手段，２ｂは釣銭の硬貨，紙幣を出力する出金手段，２ｃは入金する現金（貨幣と紙幣）の種別を識別して計数したり，釣銭として指定された金額に対応する硬貨や紙幣を数える計数手段である。
【００１４】
図１において，顧客が商品を持ってＰＯＳ装置１に来て，バーコードリーダで読み取っると商品登録部１ａで商品の購入金額が登録され，小計の指示（小計キーの入力）を小計指示検出部１ｂで検出すると，計数モード切替指示部１ｃで計数モードフラグ１ｄを参照して，現在の計数モードを判別する。この計数モードフラグ１ｄは，計数モードフラグ設定部１ｇが時間帯別，係員別，処理内容別等に対応したモード切替テーブル１ｈ（詳細は後述する実施例に示す）を参照して，現在の時間の変化（時間に対応），係員の交代（係員の番号に対応），または取引種別の変化等の各事象の発生に応じて計数モードフラグが更新され，ＰＯＳ装置１の表示手段（図示省略）に現在のモードを表示している。
【００１５】
計数モードフラグ１ｄの参照により計数モードであることが分かると，計数モード処理部１ｅの処理が実行され，自動釣銭機２に対し顧客が出した預かり金の取込と計数を指示する。自動釣銭機２は計数手段２ｃの動作により計数を行ってＰＯＳ装置１へ計数結果を通知し，ＰＯＳ装置１で締め（キー入力）が指定されると，計数された預かり金額から商品登録部１ａにおいて登録された購入金額を減算することで釣銭計算をし，得られた結果（釣銭額）を自動釣銭機２に出力し，自動釣銭機２の出金手段２ｂによる釣銭の出力をさせ制御をする。計数モードフラグ１ｄの参照により通常モードであることが分かると，通常モード処理部１ｆの処理が実行される。この場合，係員により顧客からの預かり金を計数してその金額がキー入力され，締めが指定されると，計数された預かり金と上記商品登録部１ａに登録された購入金額とで釣銭計算が行われ，得られた結果（釣銭額）を自動釣銭機２に出力し，自動釣銭機２の出金手段２ｂによる釣銭の出力させる制御をする。
【００１６】
また，権限を有する係員は，計数モードフラグ１ｄの計数モードを手動（特定のコード入力，または特定のキー入力等）により切替えることができるように構成でき，その場合手動入力がある毎にモードを計数モードと通常モードに交互に切替える。なお，計数モードフラグ設定部１ｇやモード切替テーブル１ｈは，ＰＯＳ装置１の上位のサーバ（図示省略）に設けて，そのモード切替テーブルをＰＯＳ装置１から参照するか，コピー（ロード）して使用することができる。
【発明の効果】
【００１７】
本発明によれば，自動釣銭機が接続されたＰＯＳ装置の預かり金の計数を行うモードとして計数モードと通常モードを状況に応じて切り替え可能とすることにより，担当者の不正抑止を図ったり，顧客への迅速な会計処理を実現することが可能となる。
【００１８】
そして，ＰＯＳ装置の担当者毎に使用する計数モードを切り替えられるようにすると，例えば不慣れで，臨時に担当する人による誤りや，不正を抑止する効果がある。また，時間帯毎に計数モードを切り替えることで，夜間のセキュリティ対策を実現し，昼間の混雑時に係員（店員）が対応することで顧客を待たせずに処理することができる。また，計数モードを係員の判断により切り替えたい場合は，切り替えのための画面を用いて簡単にモードを切り替えることができ状況に対して柔軟に対応することができる。
【発明を実施するための最良の形態】
【００１９】
図２は本発明が実施されるＰＯＳシステムの構成を示す。図中，１は店舗内の複数の各支払場所に設けられたＰＯＳ装置，１０７はＰＯＳ装置１に設けられたバーコードを読み取るバーコードスキャナ，２’は硬貨及び紙幣の入金と計数及び指定された金額の釣銭を出力する機能を備えた自動釣銭釣札機（図１の自動釣銭機２と同じ），３は店舗内の複数のＰＯＳ装置１を制御すると共に各ＰＯＳ装置１からの各種データを集計するサーバ，３０は各ＰＯＳ装置１における計数モードの切替に使用する切替テーブルに設定するデータが格納された計数モード切替ファイルである。なお，切替テーブルは各ＰＯＳ装置１からサーバ３のモード切替ファイル３０を参照するか，またはサーバ３からＰＯＳ装置１にロードして使用することができる。
【００２０】
上記図２に示すシステム構成のＰＯＳ装置１及び自動釣銭釣札機２’の内部の機能ブロックを図３に示す。図３において，ＰＯＳ装置１内の１００はＣＰＵ，１０１は客用表示器，１０２は係員が見るキャッシヤ用表示器であり，タッチパネル１０２ａが設けられている。１０３はプログラム等が格納されたＲＯＭ，１０４はデータが格納されるＲＡＭ，１０５はサーバ３と通信を行う通信インタフェース（Ｉ／Ｆ）部，１０６は磁気ディスク，１０７は商品に付けられたバーコードを読み取るバーコードスキャナ，１０８はキーボード，１０９は硬貨及び紙幣が収納されるドロア，１１０はレシートを印刷するプリンタ，１１１は自動釣銭機２と制御信号（コマンド，応答）及びデータの送受信をする自動釣銭機インタフェース（Ｉ／Ｆ）部，１１２はプログラムやデータを格納したＣＤ−ＲＯＭを駆動するＣＤ−ＲＯＭドライブである。
【００２１】
また，自動釣銭釣札機２’において，２０は制御部，２１はＰＯＳ装置１と制御信号及びデータの送受信するＰＯＳインタフェース（Ｉ／Ｆ）部，２２は入金部，２３は出金部，２４は計数部である。
【００２２】
図４は上記図３に示すＰＯＳ装置と自動釣銭釣札機の外観構成を示す。図４において，ＰＯＳ装置１内の符号１０１，１０２，１０７〜１１０は上記図３に示す同じ符号の各部と同じである。また，自動釣銭釣札機２’は自動釣銭機２ａと自動釣札機２ｂとで構成されて，自動釣銭機２ａと自動釣札機２ｂはＰＯＳ装置１と直列伝送のプロトコルであるＲＳ２３２Ｃの信号線により接続されている。
【００２３】
図５にはＰＯＳ装置のプログラム及び記憶部の構成を示す。図中，１０ａは制御部，１０ｂは入力の処理を行うプログラムで構成する入力部，１０ｃは表示を行うプログラムである表示部，１０ｄは購入商品の金額を集計するプログラムである集計部，１０ｅは預かり金から商品の集計金額を引いて釣銭を求める釣銭算出部，１０ｆは預かり金を算出する預かり金算出部，１０ｇは本発明による計数モードを判定して自動釣銭釣札機に対してモード切替えの指示を行う計数モード切替指示部，１０ｈは自動釣銭釣札機に計数させた金額を確認する計数金額確認部，１０ｉは釣銭の金額を釣銭釣札機に指示するプログラムである出金指示部，１０ｊはサーバとの通信を行う通信部，１０ｋは釣銭釣札機との通信を行うプログラムである釣銭釣札機通信部である。１１は記憶部であり，１１ａは商品の価格等を記憶する商品情報記憶部，１１ｂは売上処理や入金処理等のＰＯＳの各種取引の情報を記憶する取引情報記憶部，１１ｃは購入した商品の金額を集計した情報を記憶する集計情報記憶部，１１ｄは現在の計数モード（オンなら計数モード，オフなら通常モード）を保持する計数モードフラグ（図１の１ｄに対応），１１ｅは計数モードフラグの更新時に参照される切替テーブル（図１の１ｈに対応し，具体例は後述する図７〜図９参照）である。
【００２４】
図６は本発明による売上時の処理フローである。最初に，係員がバーコードスキャナにより商品のバーコードを走査し，順次商品の金額を加算して登録し（図６のＳ１），その後小計キー（商品登録を終了するキー）が操作されたか判別し（同Ｓ２），小計キーが操作された場合，計数モードフラグがオン（釣銭釣札機による預かり金の計数を行うモード）か，オフ（係員による預かり金の計数を行う通常モード）か判別する（同Ｓ３）。この計数モードフラグは，後述する計数モード切替えの処理フローにより，計数モードを切替える可能性がある事象が発生する毎にオンまたはオフに設定される。
【００２５】
計数モードがオフの場合，係員が顧客からの預かり金を数えてその金額をキー入力し（図６のＳ４），締めキー入力を行う（同Ｓ５）。この締めキーの入力により，釣銭計算が行われ（図６のＳ６），釣銭の額が得られると，釣銭機へ釣銭放出を指示する（同Ｓ７）。この指示はＰＯＳ装置１の釣銭釣札機Ｉ／Ｆ部（図３の１１１）から自動釣銭釣札機２’のＰＯＳＩ／Ｆ部（図３の２１）を介して自動釣銭釣札機２’へ送られて，自動釣銭釣札機２’での処理が行われる（同Ｓ８）。その内容は，指示された釣銭の金額を硬貨または紙幣の一方または両方を放出し（図６のＳ８０），預かり金を自動釣銭釣札機２’に取り込む（同Ｓ８１）。
【００２６】
上記ステップＳ３において，計数モードフラグがオン（計数モード）と判別されると，自動釣銭釣札機２’に対して投入金額のカウント開始指示を出す（図６のＳ９）。これにより自動釣銭釣札機２’の処理が実行される（図６のＳ１０）。この時，顧客からの預かり金は自動釣銭釣札機２’の入金部に置かれ，カウント開始指示を受け取ると自動釣銭釣札機２’は，預かり金（紙幣と硬貨の一方または両方）を取り込み（図６のＳ１００），預かり金を計数する（同Ｓ１０１）。計数した預かり金の数値は，自動釣銭釣札機２’からＰＯＳ装置１に送られて表示器（図３の客用表示器１０１とキャッシャ用表示器１０２）に表示され（図６のＳ１１），締めキーが入力されると（同Ｓ１２），釣銭の計算を行い（同Ｓ１３），自動釣銭釣札機２’へ投入金額カウント終了／釣銭額カウント終了／釣銭放出指示を行い（同Ｓ１４），この指示を受けた自動釣銭釣札機２’は指示された釣銭を放出し（同Ｓ１５），終了する。
【００２７】
上記図６のステップＳ３において使用する計数モードフラグの構成とフラグ更新の処理フローを図７乃至図９に示す。
【００２８】
図７は担当者別の切替テーブルを使用する場合の説明図である。図７のＡ．は担当者別切替テーブルの構成例であり，各担当者の番号（Ｎｏ．）に対応して，使用可能モードが設定され，使用可能モードが，通常モードか計数モード，または両モード（「通常／計数」の表示）の３種類の何れかが設定され，両モードの場合は，「優先順位」が何れのモードであるかが設定されている。図７のＢ．は担当者別の通常モードと計数モードを切替えるためのフローであり，ＰＯＳ装置（図５の計数モード切替指示部１０ｇ）において実行される。最初に担当者番号（Ｎｏ．）を取得（キー入力やバーコード等により入力）すると（図７のＢ．のＳ１），担当者別切替テーブル（図７のＡ．）を検索し（図７のＢ．のＳ２），当該担当者番号に対して設定された使用可能モードを識別する（同Ｓ３），通常モードが設定されている場合は，計数モードフラグをオフに設定し（図７のＢのＳ５），通常モード用アイコンを表示する（同Ｓ６）。なお，このアイコンは，ＰＯＳ装置１のキャシャ用表示器（図３の１０２）の一部に現在の預かり金を計数するモードを表すアイコンであり，具体例は後述する図１０，図１１に示す。上記ステップＳ３において，切替テーブルにより計数モードが設定されている場合は，計数モードフラグをオンに設定し（図７のＢ．のＳ７），「計数モード」アイコンをキャッシャ用表示器に表示する（同Ｓ８）。使用可能モードが両方に設定されている場合，テーブル（図７のＡ．）内の該当する担当者番号に対応する優先順位の欄を見て，そこに設定された内容が「通常モード」ならステップＳ５，「計数モード」ならステップＳ７の処理に移る。
【００２９】
図８は時間帯別の切替テーブルを使用する場合の説明図である。図８のＡ．は時間帯別切替テーブルの構成例であり，各時間帯に対応して，使用モードが設定され，使用可能モードが，通常モードか計数モードの２種類の何れかが設定されている。図８のＢ．は時間帯別の通常モードと計数モードを切替えるためのフローであり，ＰＯＳ装置において実行される。最初に取引が終了したか判別し（図８のＢ．のＳ１），終了した場合は現在の時刻を取得し（同Ｓ２），取得した時刻が属する時間帯により時間帯別切替テーブルを検索する（同Ｓ３）。この検索により現在の時間帯に対し設定されたモードを判別し（図８のＢ．のＳ４），通常モードなら計数モードフラグをオフに設定し（同Ｓ５），通常モードアイコンをキャッシャ用表示器に表示する（同Ｓ６）。ステップＳ４の判別において，計数モードが設定されていたことが判別されると，計数モードフラグをオンに設定し（図８のＢ．のＳ７），計数モードアイコンを表示する（同Ｓ８）。
【００３０】
図９は取引別の切替テーブルを使用する場合の説明図である。図９のＡ．は取引別切替テーブルの構成例であり，各取引として，「売上」，「釣銭準備金」，「入金１」（特定の入金），「入金２」（入金１とは異なる他の入金）等に対応して，使用モードが設定され，使用可能モードが，通常モードか計数モードの２種類の何れかが設定されている。図９のＢ．は取引別の通常モードと計数モードを切替えるためのフローである。最初に取引種別（係員により操作した取引種別を表すキー入力）を取得し（図９のＢ．のＳ１），取得した取引種別により取引別切替テーブルを検索する（同Ｓ２）。この検索により現在の取引に対し設定されたモードを判別し（図９のＢ．のＳ３），通常モードなら計数モードフラグをオフに設定し（同Ｓ４），通常モードアイコンをキャッシャ用表示器に表示する（同Ｓ５）。ステップＳ３の判別において，計数モードが設定されていたことが判別されると，計数モードフラグをオンに設定し（図９のＢ．のＳ６），計数モードアイコンを表示する（同Ｓ７）。
【００３１】
図１０はキャッシャ用表示器の画面の例であり，図１０のＡ．は計数モードフラグがオンの時の表示であり，「売上」の登録を行う画面において，５つの商品についてバーコードスキャナで読み取って，金額が登録され，小計のキーが操作されて小計額と税額が加算されて，合計金額が求められた状態である。この時，画面の下部の右側に計数モードを表示するアイコンが表示され，この例では「計数モード」（自動釣銭釣札機による自動計数を行うモード）を表している。図１０のＢ．は上記Ａ．と同様の合計金額が求められた状態で，この時の計数モードを表示するアイコンは，「通常モード」を表示している。このように，キャッシャ用表示器の画面を見ることにより，係員は現在のモードを識別することができる。
【００３２】
図１１は計数モードフラグを係員によって直接切替える場合の画面の例である。図１１に示すように，この画面は売上処理の画面とは異なる別の画面であり，売上処理の画面を表示するか，計数モード切替画面を表示するかは係員により切替えることができる。
【００３３】
図１１の計数モード切替モードの画面を用いて，切替テーブルを使用することなく直接計数モードを切替えることができる。この画面の中の「計数モード切替」というボタンが表示されており，このボタンを操作（タッチ）すると，現在の計数モードが他方の計数モードに切替えられ，画面の右下に表示された計数モードを表示するアイコンも切替先のモードを表すアイコンに切替えられる。
【００３４】
（付記１）  自動釣銭機が接続されたＰＯＳ装置において，預かり金の金額がキー入力される通常モードと，預かり金を自動釣銭機で計数させて計数結果が入力される計数モードが条件と共に設定されたモード切替テーブルと，前記モード切替テーブルに基づいて設定される現在のモードを記憶する計数モードフラグと，売上処理毎に前記計数モードフラグを判別して自動釣銭機に対して判別された計数モードを指示する計数モード切替指示部を備えることを特徴とするＰＯＳ装置。
【００３５】
（付記２）  付記１において，前記モード切替テーブルとして，担当者別に計数モードが設定された担当者別切替テーブルを設け，ＰＯＳ装置の担当者を表す情報が入力されると，前記担当者別モード切替テーブルを参照し，前記担当者に対して設定された計数モードを，前記計数モードフラグに記憶させる計数モードフラグ設定部を備えることを特徴とするＰＯＳ装置。
【００３６】
（付記３）  付記１において，前記モード切替テーブルとして，時間帯別に計数モードが設定された時間帯別モード切替テーブルを設け，各取引終了毎に現在の時刻を取得すると，前記時間帯別モード切替テーブルを参照し，前記取得した時刻が含まれる時間帯に対して設定された計数モードを，前記計数モードフラグに記憶させる計数モードフラグ設定部を備えることを特徴とするＰＯＳ装置。
【００３７】
（付記４）  付記１において，前記モード切替テーブルとして，取引種別に対応して計数モードが設定された取引別モード切替テーブルを設け，取引種別を取得すると，前記取引別モード切替テーブルを参照して前記取得した取引種別に対して設定された計数モードを，前記計数モードフラグに記憶させる計数モードフラグ設定部を備えることを特徴とするＰＯＳ装置。
【００３８】
（付記５）  自動釣銭機が設けられたＰＯＳ装置とサーバとで構成されたＰＯＳシステムにおいて，前記各ＰＯＳ装置は，預かり金の金額がキー入力される通常モードと，預かり金を自動釣銭機で計数させて計数結果が入力される計数モードが条件と共に設定されたモード切替テーブルと，前記モード切替テーブルに基づいて設定される現在のモードを記憶する計数モードフラグと，売上処理毎に前記計数モードフラグを判別して自動釣銭機に対して判別された計数モードを指示する計数モード切替指示部を備えることを特徴とするＰＯＳシステム。
【００３９】
（付記６）  ＰＯＳ装置と自動釣銭機とを備え，預かり金を自動釣銭機により計数する計数モードと，係員がキー入力する通常モードとにより動作可能なＰＯＳシステムの計数モード制御方法において，商品の購入金額を登録して購入金額の表示に対し，支払いのための預かり金を受け取ると，該預かり金を計数する現在のモードが設定され，条件により設定可能で計数モードフラグを参照し，前記計数モードフラグが計数モードに設定されていると，前記自動釣銭機に対して預かり金の計数を指示し，前記自動釣銭機から計数結果を受け取ると前記購入金額を減算により釣銭の額を求め，前記自動釣銭機に対して釣銭の出金を指示し，計数モードフラグが通常モードに設定されていると，係員による預かり金の金額の入力を待って，該預かり金の金額から前記購入金額を減算して釣銭の額を求め，前記自動釣銭機に対して釣銭の出金を指示することを特徴とするＰＯＳシステムの計数モード制御方法。
【００４０】
（付記７）  付記６において，前記計数モードフラグは，現在のＰＯＳ装置の担当者を表す情報が入力されると，予め担当者別に計数モードが設定された担当者別切替テーブルを検索し，前記入力された担当者に設定された計数モードに従って切替えられることを特徴とするＰＯＳシステムの計数モード切替方法。
【００４１】
（付記８）  付記６において，前記計数モードフラグは，現在の時刻を取得すると，予め時間帯別に計数モードが設定された時間帯別切替テーブルを検索し，前記取得した時刻が含まれる時間帯に対して設定された計数モードに従って切替えられることを特徴とするＰＯＳシステムの計数モード切替方法。
【００４２】
（付記９）  付記６において，前記計数モードフラグは，ＰＯＳ装置の制御機能を指定することが可能な複数のボタンが表示され，その中に計数モード切替ボタンを表示し，該計数モード切替ボタンを操作することにより前記計数モードフラグを計数モードか，通常モードかに切替えられることを特徴とするＰＯＳシステムの計数モード切替方法。
【図面の簡単な説明】
【００４３】
【図１】本発明の原理構成を示す図である。
【図２】本発明が実施されるシステムの構成を示す図である。
【図３】ＰＯＳ装置及び自動釣銭釣札機の内部の機能ブロックを示す図である。
【図４】ＰＯＳ装置と自動釣銭釣札機の外観構成を示す図である。
【図５】ＰＯＳ装置のプログラム及び記憶部の構成を示す図である。
【図６】本発明による売上時の処理フローを示す図である。
【図７】担当者別の切替テーブルを使用する場合の説明図である。
【図８】時間帯別の切替テーブルを使用する場合の説明図である。
【図９】取引別の切替テーブルを使用する場合の説明図である。
【図１０】キャッシャ用表示器の画面の例を示す図である。
【図１１】計数モードフラグを係員によって直接切替える場合の画面の例を示す図である。
【図１２】預かり金の計数を係員が行う場合のフローチャートを示す図である。
【図１３】預かり金の計数を機械により行う場合のフローチャートを示す図である。
【符号の説明】
【００４４】
１        ＰＯＳ装置
１ａ      商品登録部
１ｂ      小計指示検出部
１ｃ      計数モード切替指示部
１ｄ      計数モードフラグ
１ｅ      計数モード処理部
１ｆ      通常モード処理部
１ｇ      計数モードフラグ設定部
１ｈ      モード切替テーブル
２        自動釣銭機
２ａ      入金手段
２ｂ      出金手段
２ｃ      計数手段
【図１】
0004795644.tif 000002
【図２】
0004795644.tif 000003
【図３】
0004795644.tif 000004
【図４】
0004795644.tif 000005
【図５】
0004795644.tif 000006
【図６】
0004795644.tif 000007
【図７】
0004795644.tif 000008
【図８】
0004795644.tif 000009
【図９】
0004795644.tif 000010
【図１０】
0004795644.tif 000011
【図１１】
0004795644.tif 000012
【図１２】
0004795644.tif 000013
【図１３】
0004795644.tif 000014